(57)【特許請求の範囲】
【請求項１】
家具本体における直交２面である第１、第２の壁部からなるコーナー部と、前記コーナー部に取り付けられるコーナー保護部材とから構成される、家具本体の前記コーナー部に対するコーナー保護部材の取付構造であって、
コーナー保護部材が、前記第１、第２の壁部を被覆する第１、第２の被覆壁を少なくとも具備してなり、前記第１、第２の壁部に第１、第２の被関連部を設けるとともに前記第１、第２の被覆壁に、前記第１、第２の被関連部に所定取付位置でそれぞれ係り合う第１、第２の関連部を設け、前記第２の関連部が、前記第１の関連部を第１の被関連部に係り合わせる方向に移動した際に経過的に弾性変形して第２の被関連部と係り合いコーナー保護部材を所定取付位置に保持する弾性変形爪と、この弾性変形爪の係り合いの解除操作を外部から行い得る操作部とを具備し、
前記第１の被関連部と第１の関連部とを、コーナー保護部材のコーナー部に対するスライド動作を利用して係り合うものとしていることを特徴とするコーナー保護部材の取付構造。
【請求項２】
第１の被関連部が、第１の壁部に設けたスライド溝であり、第１の関連部が、第１の被覆壁から突出してなり前記スライド溝内をスライドし所定取付位置で前記スライド溝の開口縁部と係り合うスライド爪であるとともに、第２の被関連部が、第２の関連部のスライド軌跡上に位置させて第２の壁部に設けた開口であり、前記コーナー保護部材をスライド爪とスライド溝とを係り合わせる方向へスライドさせた際に、前記第２の関連部がスライド動作に伴って弾性変形爪を開口縁部に押圧されながら前記開口内に侵入し、スライド爪とスライド溝が係り合う所定取付位置で前記弾性変形爪が元の形状に復元して前記開口縁部に係り合うことを特徴とする請求項１記載のコーナー保護部材の取付構造。
【請求項３】
前記弾性変形爪が、所定取付位置で前記開口の開口縁部に係り合う係り合い凸部を具備してなり、前記係り合い凸部が、前記開口と第２の関連部とを相互に抜出させるような方向に外力が働いた場合に、前記開口の開口縁部とより係り合うような方向に突出してあることを特徴とする請求項２記載のコーナー保護部材の取付構造。
【請求項４】
家具本体における直交２面である第１、第２の壁部からなるコーナー部と、前記コーナー部に取り付けられるコーナー保護部材とから構成される、家具本体の前記コーナー部に対するコーナー保護部材の取付構造であって、
コーナー保護部材が、前記第１、第２の壁部を被覆する第１、第２の被覆壁を少なくとも具備してなり、前記第１、第２の壁部に第１、第２の被関連部を設けるとともに前記第１、第２の被覆壁に、前記第１、第２の被関連部に所定取付位置でそれぞれ係り合う第１、第２の関連部を設け、前記第２の関連部が、前記第１の関連部を第１の被関連部に係り合わせる方向に移動した際に経過的に弾性変形して第２の被関連部と係り合いコーナー保護部材を所定取付位置に保持する弾性変形爪と、この弾性変形爪の係り合いの解除操作を外部から行い得る操作部とを具備し、
前記第１の被関連部と第１の関連部とを、コーナー保護部材のコーナー部に対する回転動作を利用して係り合うものとしていることを特徴とするコーナー保護部材の取付構造。
【請求項５】
第１の被関連部が、第１の壁部に設けた第１の開口であり、第１の関連部が、第１の被覆壁から突出してなり前記第１の開口内を回転して所定取付位置で該開口と係り合う回転爪であるとともに、第２の被関連部が、第２の関連部の回転軌跡上に位置させて第２の壁部に設けた第２の開口であり、前記コーナー保護部材を回転爪と第１の開口とを係り合わせる方向へ回転させた際に、前記第２の関連部が回転動作に伴って弾性変形爪を開口縁部に押圧されながら前記第２の開口内に侵入し、第１の開口と回転爪が係り合う所定取付位置で前記弾性変形爪が元の形状に復元して前記第２の開口の開口縁部に係り合うことを特徴とする請求項４記載のコーナー保護部材の取付構造。
【請求項６】
第２の壁部と第２の被覆壁間に、所定取付位置で相互に係り合って、前記弾性変形爪と第２の開口の係り合いが解除される方向へコーナー保護部材が移動することを防止する補助関連機構を設けていることを特徴とする請求項５記載のコーナー保護部材の取付構造。
【請求項７】
家具本体における直交２面である第１、第２の壁部からなるコーナー部と、前記コーナー部に取り付けられるコーナー保護部材とから構成される、家具本体の前記コーナー部に対するコーナー保護部材の取付構造であって、
コーナー保護部材が、前記第１、第２の壁部を被覆する第１、第２の被覆壁を少なくとも具備してなり、前記第１、第２の壁部に第１、第２の被関連部を設けるとともに前記第１、第２の被覆壁に、前記第１、第２の被関連部に所定取付位置でそれぞれ係り合う第１、第２の関連部を設け、前記第２の関連部が、前記第１の関連部を第１の被関連部に係り合わせる方向に移動した際に経過的に弾性変形して第２の被関連部と係り合いコーナー保護部材を所定取付位置に保持する弾性変形爪と、この弾性変形爪の係り合いの解除操作を外部から行い得るように外方に表出させた操作部とを具備していることを特徴とするコーナー保護部材の取付構造。
【発明の詳細な説明】
【０００１】
【発明の属する技術分野】
本発明は、家具のコーナー部を保護するためのコーナー保護部材を好適に取り付けるためのコーナー保護部材の取付構造に関するものである。
【０００２】
【従来の技術】
例えば、家具のコーナー部を保護するものとして利用される合成樹脂製のコーナー保護部材がある。特に、キャスタを具備してなる机や棚やキャビネット等の移動可能な家具は、移動中に誤ってそのコーナー部が他の家具や室内の壁面に衝突し、これらを傷つけたりする恐れがあるだけでなく、家具自身がスチール製品等の場合には衝突の衝撃によりコーナー部が変形してしまう恐れもある。そのため、従来から、この種の移動家具を始めとする家具のコーナー部には、合成樹脂製のコーナー保護部材を設け、そのコーナー部を保護するようにしている。
【０００３】
従来、家具本体のコーナー部にコーナー保護部材を取り付ける場合には、前記コーナー部を構成する壁部に保護部材をビス止めしたり、前記壁部に設けた嵌合凹部に前記保護部材から突出した嵌合凸部を嵌合させて取り付けるようにしている。
【０００４】
【発明が解決しようとする課題】
ところで、近年、地球環境問題に対する関心の高まりから、製造物を廃棄する場合、資源の再利用を図るために、製造物を素材毎の個別の部品に分解して廃棄する分別廃棄が普及し始めており、家具の分野でも容易に分別廃棄が行えることが必要不可欠となっている。
【０００５】
しかしながら、上述したような取付構造のうち、前者は、着脱時にドライバーなどの工具が必要となり、着脱作業が煩雑な上、ビス等の止め具が必要となるため部品点数の増加などの不具合がある。一方、後者は、一旦コーナー保護部材をコーナー部に取り付けると、嵌合凹部と嵌合凸部の嵌合解除を外部から行うことができにくいものであった。このように、両者とも、廃棄時に別素材からなるスチール製の家具本体と、合成樹脂製のコーナー保護部材との分別を行うことが容易ではなく、これらのリサイクル化が進展しないのが実状であった。
【０００６】
【課題を解決するための手段】
上記の問題点を解決するために、本発明のコーナー保護部材の取付構造は、取付の容易性を損なうことなく、また廃棄時に簡単に家具本体からコーナー保護部材を取り外すことができるようにしたものである。
【０００７】
【発明の実施の形態】
すなわち、本発明は、家具本体における直交２面である第１、第２の壁部からなるコーナー部と、前記コーナー部に取り付けられるコーナー保護部材とから構成される、家具本体の前記コーナー部に対するコーナー保護部材の取付構造であって、コーナー保護部材が、前記第１、第２の壁部を被覆する第１、第２の被覆壁を少なくとも具備してなり、前記第１、第２の壁部に第１、第２の被関連部を設けるとともに前記第１、第２の被覆壁に、前記第１、第２の被関連部に所定取付位置でそれぞれ係り合う第１、第２の関連部を設け、前記第２の関連部が、前記第１の関連部を第１の被関連部に係り合わせる方向に移動した際に経過的に弾性変形して第２の被関連部と係り合いコーナー保護部材を所定取付位置に保持する弾性変形爪と、この弾性変形爪の係り合いの解除操作を外部から行い得る操作部とを具備することを基本構成としている。
【０００８】
このような基本構成のものにおいて、コーナー保護部材を家具本体のコーナー部に装着する場合には、第１の関連部と被関連部とを互いに係り合う方向へコーナー保護部材を移動させれば、第２の関連部の弾性変形爪が弾性変形して第２の被関連部と係り合い、ビス等を使用することなく、ワンタッチで簡単且つ確実にコーナー部の所定取付位置にコーナー保護部材を取り付けることができる。また、これら第１、第２の関連部がコーナー部の第１、第２の被関連部に係り合うので、取付状態でコーナー保護部材が不用意にコーナー部から外れることが有効に防止される。一方、廃棄時など、コーナー保護部材をコーナー部から取り外す場合には、外部から操作部を操作して弾性変形爪と第２の被関連部との係り合いを解除して、第１の関連部と被関連部の深い係り合いを解除する方向にコーナー保護部材を移動すれば、家具本体からコーナー保護部材を簡単に取り外すことができる。したがって、一般家庭や会社などでも別素材のコーナー保護部材と家具本体とを簡単に分別した後、廃棄することが可能となる。
また、本発明においては、前記基本構成に加えて、弾性変形爪の係り合いの解除操作を外部から行い得る操作部を外部に表出させるように構成しても上記と同様の作用効果が得られるものである。
【０００９】
さらに、本発明は前記基本構成に加えて、第１の被関連部と第１の関連部とが、コーナー保護部材のコーナー部に対するスライド動作を利用して係り合うものとしてもよい。このようなものであれば、コーナー保護部材のコーナー部に対する簡単且つ円滑な着脱作業を実現することが可能となる。
また、この場合には、第１の被関連部が、第１の壁部に設けたスライド溝であり、第１の関連部が、第１の被覆壁から突出してなり前記スライド溝内をスライドし所定取付位置で前記スライド溝の開口縁部と係り合うスライド爪であるとともに、第２の被関連部が、第２の関連部のスライド軌跡上に位置させて第２の壁部に設けた開口であり、前記コーナー保護部材をスライド爪とスライド溝とを係り合わせる方向へスライドさせた際に、前記第２の関連部がスライド動作に伴って弾性変形爪を開口縁部に押圧されながら前記開口内に侵入し、スライド爪とスライド溝が係り合う所定取付位置で前記弾性変形爪が元の形状に復元して前記開口縁部に係り合うものであることが望ましい。
【００１０】
所定取付位置においてコーナー保護部材がコーナー部から外れることを有効に防止するには、前記弾性変形爪が、所定取付位置で前記開口の開口縁部に係り合う係り合い凸部を具備してなり、前記係り合い凸部が、前記開口と第２の関連部とを相互に抜出させるような方向に外力が働いた場合に、前記開口の開口縁部とより係り合うような方向に突出してあることが望ましい。
【００１１】
同様に、本発明は前記基本構成に加えて、第１の被関連部と第１の関連部とが、コーナー保護部材のコーナー部に対する回転動作を利用して係り合うものであるものとしてもよい。このようなものであれば、コーナー保護部材のコーナー部に対する簡単且つ円滑な着脱作業を実現することが可能となる。
この場合には、第１の被関連部が、第１の壁部に設けた第１の開口であり、第１の関連部が、第１の被覆壁から突出してなり前記第１の開口内を回転して所定取付位置で前記該開口と係り合う回転爪であるとともに、第２の被関連部が、第２の関連部の回転軌跡上に位置させて第２の壁部に設けた第２の開口であり、前記コーナー保護部材を回転爪と第１の開口とを係り合わせる方向へ回転させた際に、前記第２の関連部が回転動作に伴って弾性変形爪を開口縁部に押圧されながら前記第２の開口内に侵入し、第１の開口と回転爪が係り合う所定取付位置で前記弾性変形爪が元の形状に復元して前記第２の開口の開口縁部に係り合うことが望ましい。
【００１２】
特に、コーナー保護部材が、回転動作を利用してコーナー部に取り付けられるものである場合に、所定取付位置においてコーナー保護部材がコーナー部から外れることを有効に防止するには、第２の壁部と第２の被覆壁間に、所定取付位置で相互に係り合って、前記弾性変形爪と第２の開口の係り合いが解除される方向へコーナー保護部材が移動することを防止する補助関連機構を設けていることが望ましい。
【００１３】
【実施例】
以下、本発明の一実施例について図面を参照して説明する。
本実施例では、図１に示すように、コーナー保護部材１をサーバラック２の可動台３に取り付ける場合について説明する。
サーバラック２は、図示しない梁と枠体とを介して自立される左右一対の側部支持体２１の間に天板２２、上棚２３及び中棚２４等を取り付け、必要に応じて図示しない配線ダクト等を取り付けるように構成したものである。そして、このサーバラック２は、下端部にサーバラック２とは独立して移動可能なサーバトラックと称される可動台３を具備している。
【００１４】
可動台３は、１枚の板金素材を塑性変形加工することにより略矩形状の頂板３１、前板３２、側板３３、後板（図示せず）及び底板３４を形成するとともに、この可動台３の頂板３１の底面に沿わせて巾方向の略全域に亘る補強桟（図示せず）を、前端部、後端部及び奥行方向の中央部に溶接等適宜の手段で取り付けたものである。そして、底面側に図示しないキャスタを設けて、このキャスタを介して可動台３を前後方向に移動可能に床面Ｆに接地させている。
【００１５】
そして、本実施例では、図１〜図４に示すように、前記可動台３のコーナー部３ａにコーナー保護部材１を取り付けて、該コーナー部３ａを保護するようにしている。以下、前記コーナー保護部材１を、可動棚３の前端部側の左右のコーナー部３ａを構成する第１の壁部たる前板３２と、第２の壁部たる側板３３に取り付ける場合の取付構造について説明する。
【００１６】
コーナー保護部材１は、前板３２を被覆し得る第１の被覆壁１１と、側板３３を被覆し得る第２の被覆壁１２とを具備している略Ｌ字形のものである。そして本実施例では、前記前板３２と第１の被覆壁１１間に第１の関連機構４を、側板３３と第２の被覆壁１２間に第２の関連機構５を設け、所定取付位置でこれらの第１、第２の関連機構４、５をそれぞれ係り合わせることにより、コーナー保護部材１をコーナー部３ａに保持するものである。
【００１７】
第１の関連機構４は、前板３２に上下方向に対をなして設けた正面視略矩形状の第１の被関連部たるスライド溝４１と、前記コーナー保護部材１の第１の被覆壁１１の内面の対応位置から突出して設けた一対のスライド爪４２とを具備している。前記スライド爪４２は、第１の被覆壁１１との間に前記可動台３の前板３２の厚みに略等しい隙間を形成した状態で位置するスライド爪本体４２１と、前記スライド爪本体４２１と第１の被覆壁１１とを連結する連結部４２２とを有する略Ｌ字形の薄板状のものである。しかして、このスライド爪４２は、図４に示すような所定取付位置でスライド爪本体４２１と第１の被覆壁１１との間に前記前板３２を挟み込んだ状態で前記スライド溝４１の開口縁部４１ａに係り合う。
【００１８】
第２の関連機構５は、側板３３に設けた正面視略矩形状の第２の被関連部たる開口５１と、前記コーナー保護部材１の第２の被覆壁１２から突出してなる第２の関連部５２とを具備してなる。
開口５１は、第２の関連部５２のスライド軌跡上に位置させて側板３３に設けた側面視略矩形状のものである。
【００１９】
第２の関連部５２は、所定取付位置で、前記開口５１の上下開口縁部５１ａ及び後開口縁部５１ｂに略緊密状態で当たる上下壁部５２１及び後壁部５２２と、前壁部となる位置に設けてなり、経過的に弾性変形して前記開口５１の前開口縁部５１ｃに係り合う弾性変形可能な弾性変形爪５２３とを具備している。第２の被覆壁１２には、前記上下壁部５２１及び後壁部５２２に囲まれた位置に厚み方向に貫通する開口窓５２４が設けてあり、前記弾性変形爪５２３は、この開口窓５２４を介して係り合いの解除操作を行い得る操作部５２５を外部から操作可能なように外方に表出した状態で前記開口窓５２４内に位置づけてある。前記弾性変形爪５２３は、図４中矢印で示すような第２の関連部５２を開口５１から抜出させる方向に外力が働き、コーナー保護部材１が前記矢印で示すような方向に回転しようとする場合に、前記前開口縁部５１ｃと係り合う係り合い凸部５２３ａを、該前開口縁部５１ｃとより係り合うような方向すなわち前方側に突出しているものである。なお、前記操作部５２５は、第２の被覆壁１２の外面から飛び出さない長さに設定されている。
【００２０】
次に、可動台３の前板３２と側板３３とで形成されるコーナー部３ａに前記コーナー保護部材１を取り付ける場合の手順について説明する。
先ず、図５中実線で示すように、前板３２に設けたスライド溝４１内にコーナー保護部材１のスライド爪４２を挿入し、スライド溝４１とスライド爪４２が係り合う図中矢印で示す方向へ、コーナー保護部材１をスライドさせる。このとき、第２の関連部５２の弾性変形爪５２３が、図５中想像線で示すように、前記開口５１の前開口縁部５１ｃに押圧されて経過的に弾性変形して開口５１内に侵入する。そして、図４に示すようなスライド爪本体４２１と第１の被覆壁１１間に前板３２が挟み込まれ、スライド溝４１とスライド爪４２が係り合う所定取付位置で前記弾性変形爪５２３は再び元の形状に復元し、その係り合い凸部５２３ａが、前記開口５１の前開口縁部５１ｃに係り合い、コーナー保護部材１は、所定取付位置に抜出不能に保持される。なお、このコーナー保護部材１は、所定取付位置で、スライド爪本体４２１と第１の被覆壁１１間に前板３２が挟み込まれるとともに、第２の関連部５２の後壁部５２２が開口５１の後開口縁部５１ｂに添え設けられ、前記弾性変形爪５２３が前開口縁部５１ｃに係りあっていることにより前後方向への移動やがたつきが防止される。さらに、弾性変形爪５２３が前開口縁部５１ｃに係りあっていることにより、左右方向へのがたつきも勿論防止される。
【００２１】
一方、前記コーナー保護部材１をコーナー部３ａから取り外す場合には、前記操作部５２５を係り合いを解除する方向へ弾性変形するように指で押圧する等して操作したのち、スライド溝４１とスライド爪４２の係り合いを解除する図５中の矢印と逆方向へコーナー保護部材１をスライドさせれば、第１、第２の関連機構４、５の係り合いはそれぞれ解除され、コーナー保護部材１をコーナー部３ａから取り外すことができる。
【００２２】
このような構成のものであると、コーナー保護部材１をコーナー部３ａに装着する場合には、コーナー保護部材１を、スライド爪４２とスライド溝４１とが係り合う方向へスライド移動させれば、第２の関連部５２の弾性変形爪５２３が弾性変形して開口５１と係り合い、ビス等を使用することなく、ワンタッチで簡単且つ確実にコーナー部３ａの所定取付位置にコーナー保護部材１を取り付けることができる。また、所定取付位置で、これら第１、第２の関連機構４、５がそれぞれ係り合っているので、取付状態からコーナー保護部材１が不用意にコーナー部から外れることが有効に防止される。一方、廃棄時など、コーナー保護部材１をコーナー部３ａから取り外す場合には、外部から操作部５２５を操作して弾性変形爪５２３と前開口縁部５１ｃとの係り合いを解除し、さらに第１の関連機構４の係り合いを解除する方向にコーナー保護部材１をスライド移動すれば、コーナー部３ａからコーナー保護部材１を簡単に取り外すことができる。したがって、一般家庭や会社などでも別素材のコーナー保護部材１と家具本体とを簡単に分別した後、廃棄することが可能となる。
【００２３】
第１の関連機構４が、コーナー保護部材１のコーナー部３ａに対するスライド動作を利用して係り合うものであるので、コーナー保護部材１の簡単且つ円滑な着脱作業を実現し得る。
第１の被関連部が、前板３２に設けたスライド溝４１であり、第１の関連部が、第１の被覆壁１１から突出してなり前記スライド溝４１内をスライドし所定取付位置で前記スライド溝４１の開口縁部４１ａと係り合うスライド爪４２であるとともに、第２の被関連部が、第２の関連部５２のスライド軌跡上に位置させて側板３３に設けた開口５１であり、前記コーナー保護部材１をスライド爪４２とスライド溝４１とを係り合わせる方向へスライドさせた際に、前記第２の関連部５２がスライド動作に伴って弾性変形爪５２３を前開口縁部５１ｃに押圧されながら前記開口５１内に侵入し、スライド爪４２とスライド溝４１が係り合う所定取付位置で前記弾性変形爪５２３が元の形状に復元して前記前開口縁部５１ｃに係り合うものであるので、前記スライド溝４１とスライド爪４２により弾性変形爪５２３と開口５１とが係り合う所定取付位置にコーナー保護部材１を確実且つ適正に導き、コーナー保護部材１をコーナー部３ａの所定取付位置に確実且つ適正に取り付けることができる。
【００２４】
第２の被関連部が、側板３３に設けた開口５１であり、第２の関連部５２の弾性変形爪５２３が、所定取付位置で前記開口５１の前開口縁部５１ｃに係り合う係り合い凸部５２３ａを具備してなり、前記係り合い凸部５２３ａが、開口５１と第２の関連部５２とを相互に抜出させるような方向に外力が働いた場合に、前記前開口縁部５１ｃとより係り合うような方向に突出してあるので、コーナー保護部材１をコーナー部３ａから抜出させるような外力が働く場合に、その抜出を有効に防止することが可能となる。
【００２５】
なお、本発明における構成は、以上説明したものに限定されないのは勿論である。
例えば、第２の関連部５２が、係り合い凸部５２３ａが開口５１の後開口縁部５１ｂ側に係り合うような弾性変形爪５２３を具備してなるものであってもよいのは勿論である。
【００２６】
さらに、第１、第２の関連機構の構成は上述したものに限定されず、以下に説明するような構成のものであってもよい。
すなわち、このものは、図６に示すように、前板３２と第１の被覆壁１１間に第１の関連機構６を、側板３３と第２の被覆壁１２間に第２の関連機構７を設け、前記第１の関連機構６が、コーナー保護部材１０１のコーナー部３ａに対する回転動作を利用して係り合うものであるとともに、第２の関連機構７が、第１の関連機構６が係り合う所定取付位置で、経過的に弾性変形してコーナー保護部材１０１を所定取付位置に保持する弾性変形爪７２３と、この弾性変形爪７２３の係り合いの解除操作を外部から行い得る操作部７２５とを具備している。
【００２７】
以下、この変形例について具体的に説明するが、前述した実施例の構成と同様の構成を有する箇所は、同一の符号を付して説明を省略するものである。
第１の関連機構６は、前板３２に設けた正面視略矩形状の第１の開口６１と、前記第１の開口６１内を回転して所定取付位置で該開口６１に係り合う回転爪６２とを具備している。
【００２８】
回転爪６２は、先端側に配置される外周縁が略半円弧状をなす回転爪本体６２１と、基端側に配置され所定取付位置で前記第１の開口６１に嵌合し得る嵌合部６２２とを具備している。なお、コーナー保護部材１０１を回転させて取り付ける際の回転支点は、回転爪本体６２１の中心よりも若干突出先端側に偏位した位置となっており、回転初期には第１の開口６１の開口縁と回転爪本体６２１の干渉を有効に防止し、所定取付位置では嵌合部６２２が前記第１の開口６１に略緊密に嵌合し得るものである。
【００２９】
第２の関連機構７は、側板３３に設けた第２の開口７１と、前記コーナー保護部材１０１の第２の被覆壁１２から突出してなる第２の関連部７２とを具備してなる。
第２の開口７１は、第２の関連部７２の回転軌跡上に位置させて側板３３に設けた側面視略矩形状のものである。
【００３０】
第２の関連部７２は、所定取付位置で前記第２の開口７１内に挿入される上下壁部７２１及び前壁部７２２と、後壁部となる位置に設けてなり、経過的に弾性変形して前記開口７１の後開口縁部７１ｃに係り合う弾性変形可能な弾性変形爪７２３とを具備している。第２の被覆壁１２には、前記上下壁部７２１及び前壁部７２２に囲まれた位置に厚み方向に貫通する開口窓７２４が設けてあり、前記弾性変形爪７２３は、この開口窓７２４を介して係り合いの解除操作を行い得る操作部７２５を外部から操作可能なように外方に表出した状態で前記開口窓７２４内に位置づけてある。なお、前記操作部７２５は、第２の被覆壁１２の外面から飛び出さない長さに設定されている。
【００３１】
なお、このコーナー保護部材１０１は、回転動作を利用してコーナー部３ａに取り付けられるものであるが、第１の被覆壁１１側に設けた回転爪６２を支点として回転する際に、第２の関連部７２の回転軌跡上に側板３３の前端部が位置するため、回転時に前記第２の関連部７２が側板３３に干渉することを防止し得るように前記第２の開口７１を前方側に広く開口している。そのため、弾性変形爪７２３を、前述した第２の関連部５２の弾性変形爪５２３のように、前開口縁部に係り合わせて前記開口と第２の関連部とを相互に抜出させるような方向に外力が働いた場合にその抜出を防止するということができにくい。さらに、このコーナー保護部材１０１は、所定取付位置において、回転爪６２の先端突出部分の外面を前板３２の内面に添え設けて前方への移動を禁止するとともに、第１の被覆壁１１の内面を前板１１の外面に添え設けて後方への移動を禁止しているが、回転爪６２の加工誤差などにより、前後方向への位置決めが適正に行われにくかったり、前後方向へのがたつきを有効に防止できない恐れがある。そのため、本実施例では、側板３３と第２の被覆壁１２間に所定取付位置で係り合って、コーナー保護部材１０１の前後方向への移動を防止するとともに、図６中矢印で示すような方向へ外力が働いた場合のコーナー保護部材１０１のコーナー部３ａからの離脱を防止する補助関連機構８を設けている。補助関連機構８は、側板３３に設けた嵌合凹部８１と、第２の被覆壁１２から突出してなり前記嵌合凹部８１に嵌合する嵌合凸部８２とを具備している。
【００３２】
次に、可動台３の前板３２と側板３３とで形成されるコーナー部３ａに前記コーナー保護部材１０１を取り付ける場合の手順について説明する。
先ず、図７中実線で示すように、前板３２に設けた開口６１内にコーナー保護部材１０１の回転爪６２を挿入し、開口６１と回転爪６２がより深く係り合う図７中矢印で示す方向へ、コーナー保護部材１０１を回転させる。このとき、第２の関連部７２の弾性変形爪７２３が、図７中想像線で示すように、前記開口７１の後開口縁部７１ｃに押圧されて経過的に弾性変形して第２の開口７１内に侵入する。そして、図６に示すような回転爪６２の嵌合部６２２が第１の開口６１に嵌合する所定取付位置で前記弾性変形爪７２３は再び元の形状に復元し、その係り合い凸部７２３ａが、前記開口７１の後開口縁部７１ｃに係り合うとともに、補助関連機構８の嵌合凸部８２が嵌合凹部８１に嵌合して、コーナー保護部材１０１は、所定取付位置に抜出不能に保持される。
【００３３】
一方、前記コーナー保護部材１０１をコーナー部３ａから取り外す場合には、前記操作部７２５を係り合いを解除する方向へ弾性変形するように指で押圧する等して操作したのち、回転爪６２と開口６１の係り合いを解除する図７中の矢印と逆方向へコーナー保護部材１０１を回転させれば、第１、第２の関連機構６、７の係り合いはそれぞれ解除され、コーナー保護部材１０１をコーナー部３ａから取り外すことができる。
【００３４】
このような構成のものであっても、前述した実施例のものと同様の作用効果が得られるものである。また、特に、このものは、回転爪６２の一部を前板３２に当てながら回転させることができるので、取付作業時のコーナー保護部材１０１の前後方向へのがたつきを防止することができる。
なお、本発明における構成は、以上説明したものに限定されず、本発明の趣旨を逸脱しない範囲で種々変形が可能である。
【００３５】
【発明の効果】
本発明は、以上説明したような構成で実施され以下に記載されるような効果を奏する。
すなわち、本発明は、コーナー部の第１、第２の壁部に設けた第１、第２の被関連部に所定取付位置でそれぞれ係り合う第１、第２の関連部をコーナー保護部材の第１、第２の被覆壁に設け、前記第２の関連部が、前記第１の関連部を第１の被関連部に係り合わせる方向に移動した際に経過的に弾性変形して第２の被関連部と係り合いコーナー保護部材を所定取付位置に保持する弾性変形爪と、この弾性変形爪の係り合いの解除操作を外部から行い得る操作部とを具備していることを基本構成としているので、ビス等を使用することなく、ワンタッチで簡単且つ確実にコーナー部の所定取付位置にコーナー保護部材を取り付けることができる。また、所定取付位置で、これら第１、第２の関連部がコーナー部の第１、第２の被関連部に係り合っているので、取付状態からコーナー保護部材が不用意にコーナー部から外れることを有効に防止することができる。一方、廃棄時など、コーナー保護部材をコーナー部から取り外す場合には、外部から操作部を操作して弾性変形爪と第２の被関連部との係り合いを解除すれば、家具本体からコーナー保護部材を簡単に取り外すことができる。したがって、一般家庭や会社などでも別素材のコーナー保護部材と家具本体とを簡単に分別した後、廃棄することが可能となる。
また、本発明は前記基本構成に加えて、前記弾性変形爪の係り合いの解除操作を外部から行い得る操作部を外方に表出させているものであるので、上述した効果を確実に得ることができる。
【００３６】
また、前記基本構成に加えて、第１の被関連部と第１の関連部とが、コーナー保護部材のコーナー部に対するスライド動作を利用して係り合うものであるので、コーナー保護部材の簡単且つ円滑な着脱作業を実現し得る。
第１の被関連部が、第１の壁部に設けたスライド溝であり、第１の関連部が、第１の被覆壁から突出してなり前記スライド溝内をスライドし所定取付位置で前記スライド溝の開口縁部と係り合うスライド爪であるとともに、第２の被関連部が、第２の関連部のスライド軌跡上に位置させて第２の壁部に設けた開口であり、前記コーナー保護部材をスライド爪とスライド溝とを係り合わせる方向へスライドさせた際に、前記第２の関連部がスライド動作に伴って弾性変形爪を開口縁部に押圧されながら前記開口内に侵入し、スライド爪とスライド溝が係り合う所定取付位置で前記弾性変形爪が元の形状に復元して前記開口縁部に係り合うものであるならば、前記スライド溝とスライド爪により弾性変形爪と開口とが係り合う所定取付位置にコーナー保護部材を確実且つ適正に導き、コーナー保護部材をコーナー部の所定取付位置に確実且つ適正に取り付けることができる。
【００３７】
前記弾性変形爪が、所定取付位置で前記開口の開口縁部に係り合う係り合い凸部を具備してなり、前記係り合い凸部が、前記開口と第２の関連部とを相互に抜出させるような方向に外力が働いた場合に、前記開口の開口縁部とより係り合うような方向に突出してあるならば、コーナー保護部材をコーナー部から抜出させるような外力が働く場合に、その抜出を有効に防止することが可能となる。
【００３８】
また、前記基本構成に加えて、第１の被関連部と第１の関連部とが、コーナー保護部材のコーナー部に対する回転動作を利用して係り合うものであるので、コーナー保護部材の簡単且つ円滑な着脱作業を実現し得る。
第１の被関連部が、第１の壁部に設けた第１の開口であり、第１の関連部が、第１の被覆壁から突出してなり前記第１の開口内を回転して所定取付位置で該開口と係り合う回転爪であるとともに、第２の被関連部が、第２の関連部の回転軌跡上に位置させて第２の壁部に設けた第２の開口であり、前記コーナー保護部材を回転爪と第１の開口とを係り合わせる方向へ回転させた際に、前記第２の関連部が回転動作に伴って弾性変形爪を開口縁部に押圧されながら前記第２の開口内に侵入し、第１の開口と回転爪が係り合う所定取付位置で前記弾性変形爪が元の形状に復元して前記第２の開口の開口縁部に係り合うならば、前記第１の開口と回転爪により弾性変形爪と開口縁部とが係り合う所定取付位置にコーナー保護部材を確実且つ適正に導き、コーナー保護部材をコーナー部の所定取付位置に確実且つ適正に取り付けることができる。
【００３９】
第２の壁部と第２の被覆壁間に、所定取付位置で相互に係り合って、前記弾性変形爪と第２の開口の係り合いが解除される方向へコーナー保護部材が移動することを防止する補助関連機構を設けているならば、特に、コーナー保護部材が、回転動作を利用してコーナー部に取り付けられるものである場合に、コーナー部からのコーナー保護部材の抜出を有効に防止することが可能となる。
【図面の簡単な説明】
【図１】本発明の一実施例を示す全体斜視図。
【図２】同要部を示す分解斜視図。
【図３】同要部を示す側面図。
【図４】図３に対応するＩ−Ｉ線断面図。
【図５】同作用説明図。
【図６】同一変形例を示す断面図。
【図７】同作用説明図。
【符号の説明】
１、１０１…コーナー保護部材
１１…第１の被覆壁
１２…第２の被覆壁
３…家具本体（可動台）
３ａ…コーナー部
３２…第１の壁部（前板）
３３…第２の壁部（側板）
４１…スライド溝
４１ａ…開口縁部
４２…スライド爪
５１…開口
５１ｃ…開口縁部（前開口縁部）
５２３…弾性変形爪
５２３ａ…係り合い凸部
５２５…操作部
６１…第１の開口
６２…回転爪
７１…第２の開口
７２３…弾性変形爪
７２３ａ…係り合い凸部
７２５…操作部
８…補助関連機構
【図１】
0003577526.tif 000002
【図２】
0003577526.tif 000003
【図３】
0003577526.tif 000004
【図４】
0003577526.tif 000005
【図５】
0003577526.tif 000006
【図６】
0003577526.tif 000007
【図７】
0003577526.tif 000008